(57)【要約】【課題】壁釘を構成する部品が少ないため部材コストが少なく、使用し易い壁釘構造を提供する。【解決手段】壁釘構造は、膨張スリーブ１及び膨張心軸２を備える。膨張スリーブ１には、軸方向で一端から内方へ雌ねじ部１０が形成される。雌ねじ部１０の底部には、幅が漸減するテーパ状の円錐溝１１が形成される。円錐溝１１の溝底は、略膨張スリーブ１の軸心上に位置し、膨張スリーブ１の他端には、押し広げられるか引き込まれて復位する複数の爪部１２が設けられる。各爪部１２間は、軸方向の複数の分離溝１３により分離される。各分離溝１３は、膨張スリーブ１の軸心上の交差部Ａで交差する。交差部Ａは、円錐溝１１の溝底に挿着される。膨張スリーブ１の周囲には、各爪部１２が設けられていない方の一端に、複数のリブ１４が突設される。各リブ１４は、膨張スリーブ１の周囲から外方へ延びる。【選択図】図３
0003215703.tif 000002
【実用新案登録請求の範囲】
【請求項１】
膨張スリーブ及び膨張心軸を備えた壁釘構造であって、
前記膨張スリーブには、軸方向で一端から内方へ雌ねじ部が形成され、前記雌ねじ部の底部には、幅が漸減するテーパ状の円錐溝が形成され、前記円錐溝の溝底は、前記膨張スリーブの略軸心上に位置し、前記膨張スリーブの他端には、押し広げられ引き込まれて復位する複数の爪部が設けられ、各前記爪部間は、軸方向の複数の分離溝により分離され、各前記分離溝は、前記膨張スリーブの前記軸心上の交差部で交差し、前記交差部は、前記円錐溝の前記溝底に挿着され、
前記膨張スリーブの周囲には、各前記爪部が設けられていない方の一端に、複数のリブが突設され、各前記リブは、前記膨張スリーブの周囲から外方へ延び、
前記膨張心軸は、雄ねじ部を有し、前記膨張スリーブの前記雌ねじ部に前記雄ねじ部をねじ込むと前記膨張スリーブ内で軸方向で変位し、前記膨張心軸の前記雄ねじ部は、旋回可能な頭部を一端に有し、支持部を他端に有し、前記支持部は、錐状をなして錐面が形成され、末端が尖端に成形され、前記支持部が前記膨張心軸により旋回されると、前記膨張スリーブの前記円錐溝に至るまで変位し、前記尖端が継続的に各前記分離溝の前記円錐溝の前記溝底の前記交差部まで挿入され、前記支持部の前記錐面が前記膨張スリーブの前記円錐溝の壁面に沿って移動すると各前記爪部が押し広げられることを特徴とする壁釘構造。
【請求項２】
前記膨張スリーブの各前記爪部の表面には、軸方向で係合構造が順次、凹凸配列されることを特徴とする請求項１に記載の壁釘構造。
【請求項３】
前記係合構造は、径方向に周設された複数の環状凸部と複数の環状凹部とが各前記爪部上に順次、交差配列されることを特徴とする請求項２に記載の壁釘構造。
【請求項４】
前記頭部の底部には、ストップリングが設けられ、
前記ストップリングの底面には、歯状の滑り止め部が設けられることを特徴とする請求項１に記載の壁釘構造。
【考案の詳細な説明】
【技術分野】
【０００１】
本考案は、壁釘に関し、特に、壁釘全体をホールから抜き取ることができる壁釘構造に関する。
【背景技術】
【０００２】
従来の壁釘構造は、オブジェクトを壁面に固定するのに用い、一般に実際に使用する際、電気ドリルで壁面に穴あけ加工を行ってから中に設置し、螺着方式で壁釘を壁面に固定し、オブジェクトを位置決めする。しかし、後日、オブジェクトを取り除きたい場合でも、壁釘構造が取り除けない構造となっているため、処理せずにそのままにして隠すことが多かったが、身体が当たって怪我してしまうなどの危険性がある上、切断方式で取り除く場合、壁面が傷ついて汚い痕が残り、取り除いた壁釘を再び使用することはできなかった。
【０００３】
図７に示すように、従来の壁釘構造は、膨張心軸９０、膨張スリーブ９１、調整管９２及び２つのナット９３を含む。膨張心軸９０は、雄ねじ９００により膨張スリーブ９１内に螺合される。膨張スリーブ９１は、雄ねじ９１０により調整管９２内に螺合される。膨張心軸９０は、一端が調整管９２から突出され、２つのナット９３が他端に順次螺着される。２つのナット９３は、膨張心軸９０及び膨張スリーブ９１の相対位置を調整して螺着する。
【０００４】
図８に示すように、従来の壁釘構造は、まず壁にホール９４を形成し、取り付ける際に膨張スリーブ９１の六角頭９１１にスパナを取付け、膨張心軸９０を旋回させると、膨張心軸９０が後方へイジェクトされ、膨張心軸９０の膨張ヘッド９０１により膨張スリーブ９１前端の膨張爪９１２を押し広げ、ホール９４中の孔壁を支え、スパナを調整管９２の六角頭９２０に嵌設し、調整管９２をホール９４へ向けて螺入させると、壁釘構造がホール９４中に固定される。これと反対に操作すると、膨張心軸９０、膨張スリーブ９１及び調整管９２を取り外してホール９４から壁釘構造を取り外すことができる。
【０００５】
しかし、この改良を行った後の壁釘構造は、反対方向に取り除く構造を有する上、繰り返して使用することができるが、それを構成する部品は、取り除くことができない従来の壁釘構造より多いため部材コストが増大し、組立て工数が多くて手間がかかるため、上述したような問題点及び欠点を改善する技術が求められていた。
【考案の概要】
【考案が解決しようとする課題】
【０００６】
本考案の主な目的は、壁釘を構成する部品が少ないため部材コストが少なく、使用し易い壁釘構造を提供することにある。
【課題を解決するための手段】
【０００７】
上記課題を解決するために、本考案の第１の形態によれば、膨張スリーブ及び膨張心軸を備えた壁釘構造であって、前記膨張スリーブには、軸方向で一端から内方へ雌ねじ部が形成され、前記雌ねじ部の底部には、幅が漸減するテーパ状の円錐溝が形成され、前記円錐溝の溝底は、略前記膨張スリーブの軸心上に位置し、前記膨張スリーブの他端には、押し広げられるか引き込まれて復位する複数の爪部が設けられ、各前記爪部間は、軸方向の複数の分離溝により分離され、各前記分離溝は、前記膨張スリーブの前記軸心上の交差部で交差し、前記交差部は、前記円錐溝の前記溝底に挿着され、前記膨張スリーブの周囲には、各前記爪部が設けられていない方の一端に、複数のリブが突設され、各前記リブは、前記膨張スリーブの周囲から外方へ延び、前記膨張心軸は、雄ねじ部を有し、前記膨張スリーブの前記雌ねじ部に前記雄ねじ部をねじ込むと前記膨張スリーブ内で軸方向で変位し、前記膨張心軸の前記雄ねじ部は、旋回可能な頭部を一端に有し、支持部を他端に有し、前記支持部は、錐状をなして錐面が形成され、末端が尖端に成形され、前記支持部が前記膨張心軸により旋回されると、前記膨張スリーブの前記円錐溝に至るまで変位し、前記尖端が継続的に各前記分離溝の前記円錐溝の前記溝底の前記交差部まで挿入され、前記支持部の前記錐面が前記膨張スリーブの前記円錐溝の壁面に沿って移動すると各前記爪部が押し広げられることを特徴とする壁釘構造が提供される。
【０００８】
前記膨張スリーブの各前記爪部の表面には、軸方向で係合構造が順次、凹凸配列されることが好ましい。
【０００９】
前記係合構造は、径方向に周設された複数の環状凸部と複数の環状凹部とが各前記爪部上に順次、交差配列されることが好ましい。
【００１０】
前記頭部の底部には、ストップリングが設けられ、前記ストップリングの底面には、歯状の滑り止め部が設けられることが好ましい。
【考案の効果】
【００１１】
本考案の壁釘構造は、壁釘を構成する部品が少ないため部材コストが少なく、使用し易い。
【図面の簡単な説明】
【００１２】
【図１】図１は、本考案の一実施形態に係る壁釘構造を示す斜視図である。
【図２】図２は、本考案の一実施形態に係る壁釘構造を示す分解斜視図である。
【図３】図３は、本考案の一実施形態に係る壁釘構造を示す縦断面図である。
【図４】図４は、本考案の一実施形態に係る壁釘構造を示す横断面図である。
【図５】図５は、本考案の一実施形態に係る壁釘構造の支持部が各爪部を押し広げた使用状態の説明図である。
【図６】図６は、本考案の一実施形態に係る壁釘構造の支持部が各爪部を押し戻した使用状態の説明図である。
【図７】図７は、従来の壁釘構造の分解斜視図である。
【図８】図８は、従来の壁釘構造の組立断面図である。
【考案を実施するための形態】
【００１３】
以下、本考案の実施形態について図１〜図６に基づいて説明する。なお、これによって本考案が限定されるものではない。
【００１４】
図１を参照する。図１に示すように、本考案の一実施形態に係る壁釘構造は、少なくとも膨張スリーブ１及び膨張心軸２から構成されてなり、ワークピース３に螺着される。
【００１５】
図２及び図３を参照する。図２及び図３に示すように、膨張スリーブ１は、軸方向で一端から内方へ雌ねじ部１０が形成される。雌ねじ部１０の底部には、幅が漸減するテーパ状の円錐溝１１が形成される。円錐溝１１の溝底は、略膨張スリーブ１の軸心上に位置する。膨張スリーブ１の他端には、複数の爪部１２が設けられる。各爪部１２間は、軸方向の複数の分離溝１３により分離される。各分離溝１３は、膨張スリーブ１の軸心上で交差する。交差部は、円錐溝１１の溝底に挿着される。
【００１６】
膨張スリーブ１の周囲には、各爪部１２が設けられていない方の一端に、複数のリブ１４が突設される。各リブ１４は、膨張スリーブ１の周囲から外方へ延びるとともに、膨張スリーブ１の各爪部１２の表面には、軸方向で係合構造１５が順次、凹凸配列される。本実施形態の係合構造１５は、径方向に周設された複数の環状凸部１５０と、複数の環状凹部１５１とが各爪部１２上に順次交差配列される。
【００１７】
膨張心軸２は、雄ねじ部２０を有し、膨張スリーブ１の雌ねじ部１０に雄ねじ部２０をねじ込んで膨張スリーブ１内で軸方向で変位する。膨張心軸２の雄ねじ部２０は、旋回可能な頭部２１を一端に有し、支持部２２を他端に有する。支持部２２は、錐状をなして錐面２２１が形成され、末端が尖端２２０に成形される。支持部２２は、膨張心軸２により旋回されると、膨張スリーブ１の円錐溝１１に至るまで変位し、膨張スリーブ１の各爪部１２が押し広げられるか引き込まれて復位する。
【００１８】
頭部２１の底部には、ストップリング２３が設けられる。ストップリング２３の底面には、歯状の滑り止め部２３０が設けられ、滑り止め部２３０を介してワークピース３に接触されているため、固定する際にワークピース３との間の摩擦力が高まるため、膨張心軸２が旋回して緩むことを防ぐ。
【００１９】
図３を参照する。図３に示すように、本実施形態の壁釘を使用する際、まず、壁面に穿孔したホール内に膨張スリーブ１を設置し、膨張スリーブ１から突出した各リブ１４が孔内の壁に押し当てられて位置決めされ（図３及び図４を参照する）、膨張心軸２が旋回したときに、膨張スリーブ１もこれに伴って旋回することを各リブ１４により防ぐ。
【００２０】
図５を参照する。図５に示すように、膨張スリーブ１がホール内に位置決めされると、工具により頭部２１の膨張心軸２を旋回させると、膨張心軸２の雄ねじ部２０が膨張スリーブ１の雌ねじ部１０に螺入され始める。膨張心軸２の支持部２２は、膨張スリーブ１の円錐溝１１に至るまで軸方向で変位する。膨張心軸２が再び螺入されると、支持部２２は、尖端２２０により継続的に各分離溝１３の円錐溝１１の溝底の交差部Ａまで挿入され（図４の交差部Ａを参照する）、支持部２２は、錐面２２１が膨張スリーブ１の円錐溝１１の壁面に沿って移動して各爪部１２を押し広げる。各爪部１２は、表面に設けた係合構造１５を介し、ホール内の壁に押し当てられ、壁釘をホール中に強固に固定し、ワークピース３を固定する。
【００２１】
図６を参照する。図６に示すように、ホールから壁釘を取り外すときは、まず、膨張心軸２を緩め、各爪部１２により膨張心軸２の支持部２２が錐面２２１への押付けが解除されて引き込まれて復位し、各爪部１２がホールの壁に押し付けられなくなり、このときに膨張心軸２の雄ねじ部２０が依然として膨張スリーブ１の雌ねじ部１０に係止されて位置決めされるため、壁釘全体をホールから容易に抜き取ることができる。
【００２２】
上述したことから分かるように、本考案の壁釘構造は、膨張スリーブ１及び膨張心軸２のみで構成されているため、従来の壁釘構造と比べ、壁釘が簡素な部品で組み立てられてオブジェクトを固定することができる上、部品のコストが少なく、速やかに組み立てることができ、組立てた後に取り外すことができる上、壁釘及び壁面が損壊されることを防ぐことができる。
【００２３】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２４】
１  膨張スリーブ
２  膨張心軸
３  ワークピース
１０  雌ねじ部
１１  円錐溝
１２  爪部
１３  分離溝
１４  リブ
１５  係合構造
２０  雄ねじ部
２１  頭部
２２  支持部
２３  ストップリング
９０  膨張心軸
９１  膨張スリーブ
９２  調整管
９３  ナット
９４  ホール
１５０  環状凸部
１５１  環状凹部
２２０  尖端
２２１  錐面
２３０  滑り止め部
９００  雄ねじ
９０１  膨張ヘッド
９１０  雄ねじ
９１１  六角頭
９１２  膨張爪
９２０  六角頭
Ａ  交差部
【図１】
0003215703.tif 000003
【図２】
0003215703.tif 000004
【図３】
0003215703.tif 000005
【図４】
0003215703.tif 000006
【図５】
0003215703.tif 000007
【図６】
0003215703.tif 000008
【図７】
0003215703.tif 000009
【図８】
0003215703.tif 000010